【手続補正書】
【提出日】平成29年7月21日(2017.7.21)
【手続補正１】
【補正対象書類名】特許請求の範囲
【補正対象項目名】全文
【補正方法】変更
【補正の内容】
【特許請求の範囲】
【請求項１】
異なる時間に眼部の異なる位置で撮影された複数の動画像を取得する画像取得手段と、
前記取得された複数の動画像それぞれの動画像から選択されて得た画像から成る複数の画像の特性の連続性を示す情報が所定の条件を満たすように、前記取得された複数の動画像それぞれの動画像から画像を選択する選択手段と、
を備えることを特徴とする画像処理装置。
【請求項２】
前記選択手段は、前記複数の画像の相対位置と輝度特性と画像特徴とのうち少なくとも一つの連続性を示す情報が所定の条件を満たすように、前記取得された複数の動画像それぞれの動画像から画像を選択することを特徴とする請求項１に記載の画像処理装置。
【請求項３】
前記選択手段は、前記複数の画像の端部と重なり領域とのうち少なくとも一つにおける前記複数の画像の特性の連続性を示す情報が所定の条件を満たすように、前記取得された複数の動画像それぞれの動画像から画像を選択することを特徴とする請求項１または２に記載の画像処理装置。
【請求項４】
前記選択手段は、前記複数の画像が張り合わせられた張り合わせ画像の面積と無血管領域境界の長さとのうち少なくとも一つが前記連続性を示す情報として所定の条件を満たすように、前記取得された複数の動画像それぞれの動画像から画像を選択することを特徴とする請求項１乃至３のいずれか１項に記載の画像処理装置。
【請求項５】
前記複数の画像が張り合わせられた張り合わせ画像と前記取得された複数の動画像それぞれの動画像よりも広い画角である広画角画像とを比較する比較手段を更に備え、
前記選択手段は、前記比較手段による比較結果に基づいて、前記取得された複数の動画像それぞれの動画像から画像を選択することを特徴とする請求項４に記載の画像処理装置。
【請求項６】
前記選択された画像が張り合わせられた張り合わせ画像を表示手段に表示させる表示制御手段を更に備えることを特徴とする請求項１乃至５のいずれか１項に記載の画像処理装置。
【請求項７】
異なる時間に眼部の異なる位置で撮影された複数の画像を取得する画像取得手段と、
前記取得された複数の画像の画像群としての適合度を示す情報に基づいて、前記画像内の領域、フレーム、略同一の位置で撮影された画像、の少なくとも一つを選択する選択手段と、
を備えることを特徴とする画像処理装置。
【請求項８】
前記選択手段は、同一検査または異なる検査の画像間の相対位置、輝度特性の連続性、画質の類似度、前記取得された複数の画像の画像特徴の少なくとも一つが前記適合度を示す情報として所定の条件を満たすように、前記取得された複数の動画像それぞれの動画像から画像を選択することを特徴とする請求項７に記載の画像処理装置。
【請求項９】
前記選択手段は、前記画像群として異なる倍率の画像の画像群が得られている場合または前記画像群として取得位置の異なる複数の画像群が得られている場合に、各倍率の画像群の適合度を判定した上で、画像群間の相対位置、輝度特性の連続性、画質の類似度、の少なくとも一つを異なる倍率の画像群間の適合度として所定の条件を満たすように、前記取得された複数の動画像それぞれの動画像から画像を選択することを特徴とする請求項７または８に記載の画像処理装置。
【請求項１０】
前記選択された領域、フレーム、画像の少なくとも一つが張り合わされた貼り合わせ画像を表示手段に表示させる表示制御手段を更に備えることを特徴とする請求項７乃至９のいずれか１項に記載の画像処理装置。
【請求項１１】
前記選択された領域、フレーム、画像の少なくとも一つにおける血球の移動速度を計測する計測手段を更に備えることを特徴とする請求項７乃至１０のいずれか１項に記載の画像処理装置。
【請求項１２】
眼科装置と通信可能に接続され、前記眼科装置により異なる時間に前記眼部の異なる位置で、動画撮影された複数の動画像または撮影された複数の画像を、取得する画像取得手段を更に有することを特徴とする請求項１乃至１１のいずれか１項に記載の画像処理装置。
【請求項１３】
異なる時間に眼部の第１の領域で複数回撮影された第１の画像と、異なる時間に前記第１の領域とは異なる第２の領域で複数回撮影された第２の画像を取得する画像処理装置であって、
前記第１の画像のうち少なくとも１つの画像と前記第２の画像のうち少なくとも１つの画像とを決定する決定処理を実行する決定手段において、前記第１の領域と前記第２の領域とが前記第１の画像において決定された少なくとも１つの画像と前記第２の画像において決定された少なくとも１つの画像とに含まれるように、前記決定処理を実行する決定手段と、
前記第１の画像において決定された少なくとも１つの画像と前記第２の画像において決定された少なくとも１つの画像とを用いて、新たな画像を生成する画像生成手段と、
を備えることを特徴とする画像処理装置。
【請求項１４】
前記決定手段は、前記第１の画像において決定された少なくとも１つの画像と前記第２の画像において決定された少なくとも１つの画像との類似度が閾値以上になるように、前記決定処理を実行することを特徴とする請求項１３に記載の画像処理装置。
【請求項１５】
眼科装置と通信可能に接続され、前記眼科装置により前記眼部を動画撮影して得た前記第１の画像及び前記第２の画像を取得する画像取得手段を更に備えることを特徴とする請求項１３または１４に記載の画像処理装置。
【請求項１６】
前記眼科装置は、前記眼部において測定光を走査する走査光学系を更に備え、
前記画像取得手段は、前記眼部における前記第１の領域及び前記第２の領域で繰り返し前記測定光が走査されるように前記走査光学系が制御されることにより、前記第１の画像及び前記第２の画像を取得することを特徴とする請求項１５に記載の画像処理装置。
【請求項１７】
前記眼科装置は、前記眼部において測定光を走査する走査光学系を更に備え、
前記画像取得手段は、前記眼部における前記第１の領域及び前記第２の領域で繰り返し前記測定光が走査されるように前記眼部を固視するための固視標の位置が制御されることにより、前記第１の画像及び前記第２の画像を取得することを特徴とする請求項１５に記載の画像処理装置。
【請求項１８】
前記眼科装置は、測定光と前記眼部からの戻り光とのうち少なくとも一つの光の波面を補正する波面補正デバイスを更に備え、
前記画像取得手段は、前記波面が補正された光を用いて前記眼部を動画撮影して得た前記第１の画像及び前記第２の画像を取得することを特徴とする請求項１５乃至１７のいずれか１項に記載の画像処理装置。
【請求項１９】
異なる時間に眼部の異なる位置で撮影された複数の動画像を取得する工程と、
前記取得された複数の動画像それぞれの動画像から選択されて得た画像から成る複数の画像の特性の連続性を示す情報が所定の条件を満たすように、前記取得された複数の動画像それぞれの動画像から画像を選択する工程と、
を有することを特徴とする画像処理装置の作動方法。
【請求項２０】
異なる時間に眼部の異なる位置で撮影された複数の画像を取得する工程と、
前記取得された複数の画像の画像群としての適合度を示す情報に基づいて、前記画像内の領域、フレーム、略同一の位置で撮影された画像、の少なくとも一つを選択する工程と、
を有することを特徴とする画像処理装置の作動方法。
【請求項２１】
異なる時間に眼部の第１の領域で複数回撮影された第１の画像と、異なる時間に前記第１の領域とは異なる第２の領域で複数回撮影された第２の画像を取得する画像処理装置の作動方法であって、
前記第１の画像のうち少なくとも１つの画像と前記第２の画像のうち少なくとも１つの画像とを決定する決定処理を実行する工程において、前記第１の領域と前記第２の領域とが前記第１の画像において決定された少なくとも１つの画像と前記第２の画像において決定された少なくとも１つの画像とに含まれるように、前記決定処理を実行する工程と、
前記第１の画像において決定された少なくとも１つの画像と前記第２の画像において決定された少なくとも１つの画像とを用いて、新たな画像を生成する工程と、
を有することを特徴とする画像処理装置の作動方法。
【請求項２２】
請求項１９乃至２１のいずれか１項に記載の画像処理装置の作動方法の各工程をコンピュータに実行させることを特徴とするプログラム。
【手続補正２】
【補正対象書類名】明細書
【補正対象項目名】０００９
【補正方法】変更
【補正の内容】
【０００９】
本発明に係る画像処理装置の一つは、
異なる時間に眼部の異なる位置で撮影された複数の動画像を取得する画像取得手段と、
前記取得された複数の動画像それぞれの動画像から選択されて得た画像から成る複数の画像の特性の連続性を示す情報が所定の条件を満たすように、前記取得された複数の動画像それぞれの動画像から画像を選択する選択手段と、を備える。
【手続補正３】
【補正対象書類名】明細書
【補正対象項目名】００１０
【補正方法】変更
【補正の内容】
【００１０】
また、本発明に係る画像処理装置の一つは、
異なる時間に眼部の異なる位置で撮影された複数の画像を取得する画像取得手段と、
前記取得された複数の画像の画像群としての適合度を示す情報に基づいて、前記画像内の領域、フレーム、略同一の位置で撮影された画像、の少なくとも一つを選択する選択手段と、を備える。
【手続補正４】
【補正対象書類名】明細書
【補正対象項目名】００１１
【補正方法】変更
【補正の内容】
【００１１】
また、本発明に係る画像処理装置の作動方法の一つは、
異なる時間に眼部の異なる位置で撮影された複数の動画像を取得する工程と、
前記取得された複数の動画像それぞれの動画像から選択されて得た画像から成る複数の画像の特性の連続性を示す情報が所定の条件を満たすように、前記取得された複数の動画像それぞれの動画像から画像を選択する工程と、を有する。
【手続補正５】
【補正対象書類名】明細書
【補正対象項目名】００１２
【補正方法】変更
【補正の内容】
【００１２】
また、本発明に係る画像処理装置の作動方法の一つは、
異なる時間に眼部の異なる位置で撮影された複数の画像を取得する工程と、
前記取得された複数の画像の画像群としての適合度を示す情報に基づいて、前記画像内の領域、フレーム、略同一の位置で撮影された画像、の少なくとも一つを選択する工程と、を有する。